(57)【要約】    【課題】      使用時にアンテナが邪魔にならず、かつ、使用者が手で携帯電話装置を保持した状態において、広帯域にわたって高い感度を得ることができるようにすること。    【解決手段】  テレビジョン受信用内蔵アンテナとして動作するループ素子１０４に可変同調回路１０６及びバンド切替回路１０７を接続する。テレビジョン受信回路１０９の内部で生成されるチューニング電圧１１０により可変同調回路１０６を制御する。チャネル制御部１１１はテレビジョン受信回路１０９の受信チャネル設定を行うとともに、バンド切替信号１１２によってバンド切替回路１０７を制御する。  【選択図】      図１
2006041840.tif 000002
【特許請求の範囲】
【請求項１】
放送を受信する機能を有する放送受信部と、
携帯電話装置の筐体内部に内蔵されたループアンテナ素子と、
現在の受信チャネルに対応して前記ループアンテナ素子の共振周波数を制御する周波数制御手段と、を具備することを特徴とする携帯電話装置。
【請求項２】
前記周波数制御手段は、前記ループアンテナ素子の共振周波数を連続的に変化させる可変同調手段からなることを特徴とする請求項１記載の携帯電話装置。
【請求項３】
前記周波数制御手段は、前記ループアンテナ素子の共振周波数を段階的に切り替えるバンド切替手段からなることを特徴とする請求項１記載の携帯電話装置。
【請求項４】
前記周波数制御手段は、前記ループアンテナ素子の共振周波数を連続的に変化させる可変同調手段と前記ループアンテナ素子の共振周波数を段階的に切り替えるバンド切替手段とを併用して前記ループアンテナ素子の共振周波数を制御することを特徴とする請求項１記載の携帯電話装置。
【請求項５】
前記可変同調手段は、前記放送受信部の受信チャネルを設定する選局用信号を用いて前記ループアンテナ素子の共振周波数を連続的に変化させることを特徴とする請求項２または４記載の携帯電話装置。
【請求項６】
前記バンド切替手段は、前記放送受信部の受信チャネル情報に対応したバンド切替信号を用いて前記ループアンテナ素子の共振周波数を段階的に切り替えることを特徴とする請求項３または４記載の携帯電話装置。
【請求項７】
前記ループアンテナ素子と前記放送受信部の信号入力回路とを平衡系回路で接続して前記ループアンテナ素子に給電することを特徴とする請求項１から請求項６のいずれかに記載の携帯電話装置。
【請求項８】
回路基板のグランドに対して不平衡給電された携帯電話装置通信用送受信アンテナを備えることを特徴とする請求項７記載の携帯電話装置。
【請求項９】
前記ループアンテナ素子のループ開口面を携帯電話装置の面に対して直交して配置することを特徴とする請求項１から請求項８のいずれかに記載の携帯電話装置。
【請求項１０】
テレビジョン映像を表示する表示部を備え、
前記ループアンテナ素子の配置面が、前記表示部の配置面の反対面であることを特徴とする請求項１から請求項９のいずれかに記載の携帯電話装置。
【発明の詳細な説明】
【技術分野】
【０００１】
本発明は、放送受信機能を有する放送受信用アンテナとしてのループアンテナ素子を備えた携帯電話装置に関する。
【背景技術】
【０００２】
テレビジョン受信機能を搭載した携帯電話装置の受信用アンテナとしては、モノポールアンテナと電池とでダイポールアンテナを構成し、これを受信機に対して垂直に配置したものが知られている（例えば、特許文献１参照）。
【０００３】
また、この種の携帯電話装置の他の受信用アンテナとしては、筐体の外部に取り付けられたループアンテナが知られている（例えば、特許文献２参照）。
【特許文献１】特開２００１−２５１１３１号公報
【特許文献２】特開平１０−８４２０９号公報
【発明の開示】
【発明が解決しようとする課題】
【０００４】
しかしながら、前記特許文献１に示されている従来の受信用アンテナは、主偏波が垂直偏波であるため、テレビジョン放送電波において主流である水平偏波に対する感度を高くできないという課題があった。
【０００５】
また、特許文献２に示されている従来の受信用アンテナは、ループアンテナが筐体の外部に取り付けられているため、携帯電話装置に用いた場合ループアンテナが使用の邪魔となり、またデザイン性が悪くなるという課題があった。
【０００６】
本発明は、かかる点に鑑みてなされたもので、使用時にアンテナが邪魔にならず、かつ、使用者が手で携帯電話装置を保持した状態において、広帯域にわたって高い感度を得ることができる携帯電話装置を提供することを目的とする。
【課題を解決するための手段】
【０００７】
かかる課題を解決するため、本発明の携帯電話装置は、放送を受信する機能を有する放送受信部と、携帯電話装置の筐体内部に内蔵されたループアンテナ素子と、現在の受信チャネルに対応して前記ループアンテナ素子の共振周波数を制御する周波数制御手段と、を具備する構成を採る。
【０００８】
この構成によれば、前記ループアンテナ素子が携帯電話装置の筐体内部に内蔵されているので、携帯電話装置の使用時にループアンテナ素子が邪魔にならない。また、この構成においては、前記周波数制御手段により現在の受信チャネルに対応して前記ループアンテナ素子の共振周波数を制御するので、広帯域にわたって高い受信感度を得ることができる。
【発明の効果】
【０００９】
本発明によれば、放送受信用アンテナとしてのループアンテナ素子が携帯電話装置の筐体内部に内蔵されているので、携帯電話装置の使用時にループアンテナ素子が邪魔にならず、デザイン性も向上するという効果が得られる。また、本発明によれば、ループアンテナ素子の共振周波数を制御することができるので、使用者が手で携帯電話装置を保持してテレビジョン放送を視聴している状態において、広帯域にわたって高い受信感度が得られる。
【発明を実施するための最良の形態】
【００１０】
以下、本発明の実施の形態について、図面を参照して詳細に説明する。なお、各図において同一の構成または機能を有する構成要素及び相当部分には、同一の符号を付してその説明は繰り返さない。
【００１１】
（実施の形態１）
図１から図５を参照して本発明の実施の形態１に係る携帯電話装置について説明する。
【００１２】
図１は、本発明の実施の形態１に係る携帯電話装置の基本構成図である。図２（ａ）は本発明の実施の形態１に係る携帯電話装置のループ素子を示す側面図、図２（ｂ）は前記ループ素子の正面図、図２（ｃ）は前記ループ素子の平面図である。図３は本発明の実施の形態１に係る携帯電話装置を使用者が手で保持してテレビジョン放送を視聴している状態を示す使用態様図である。
【００１３】
図１に示すように、本実施の形態１に係る携帯電話装置１００は、上部筐体１０１と下部筐体１０２とがヒンジ部１０３によって開閉自在に軸支された折畳型の携帯電話装置で構成されている。なお、本発明に係る携帯電話装置は、１つの筐体からなるストレート型の携帯電話装置であってもよいことは言うまでもない。
【００１４】
上部筐体１０１及び下部筐体１０２は、絶縁体である樹脂材料の成形品で構成されている。上部筐体１０１のヒンジ部１０３近傍には、ループアンテナ素子としてのループ素子１０４が携帯電話装置１００の幅方向（Ｙ軸方向）に沿って配置されている。このループ素子１０４は、テレビジョン受信用内蔵アンテナとして動作するものである。
【００１５】
ループ素子１０４の一端は、接地部１０５で上部筐体１０１内部のグランド電位に接地されている。また、ループ素子１０４の他端には、周波数制御手段である可変同調手段としての可変同調回路１０６、及び、周波数制御手段であるバンド切替手段としてのバンド切替回路１０７が接続されている。
【００１６】
ループ素子１０４の共振周波数は、可変同調回路１０６及びバンド切替回路１０７によってテレビジョン放送周波数である４７０ＭＨｚから７００ＭＨｚ程度の範囲において制御される。
【００１７】
ループ素子１０４の接地部１０５から所定の間隔（例えば１０ｍｍ程度）だけ離れた位置には、給電部１０８が設置されている。これによって、ループ素子１０４のインピーダンスをタップダウンすることにより、給電部１０８のインピーダンスが、例えば５０オームまたは７５オームとなるように設定される。
【００１８】
ループ素子１０４は、給電部１０８がテレビジョン受信回路１０９に接続されることで、テレビジョン電波を受信する。テレビジョン受信回路１０９は、その内部で生成されるチューニング電圧１１０により可変同調回路１０６を制御する。チャネル制御部１１１は、テレビジョン受信回路１０９の受信チャネル設定を行うとともに、バンド切替信号１１２によってバンド切替回路１０７を制御する。
【００１９】
次に、図２（ａ），（ｂ），（ｃ）を参照して、ループ素子１０４の構成について説明する。ループ素子１０４は、例えば、幅方向長さＬ１が４０ｍｍ、素子高さＬ２が１０ｍｍ、素子幅Ｌ３が１０ｍｍで折り返された板厚１ｍｍ程度の導体板で構成されている。また、このループ素子１０４は、その両端部の間隔Ｌ４が５ｍｍ程度に設定されている。さらに、このループ素子１０４は、上部筐体１０１に搭載されている回路基板１１３との間隔Ｌ５が２ｍｍに設定されて固定されている。
【００２０】
このように構成されたループ素子１０４のループ開口面は、携帯電話装置１００の面、すなわち回路基板１１３に対して直交することになる。回路基板１１３には、一般にグランドパターンが全面に配置されている。従って、ループ素子１０４のループ開口面は、携帯電話装置１００のグランドパターンすなわち接地面に対して直交することになる。
【００２１】
また、ループ素子１０４のループ開口面は、携帯電話装置１００の幅方向すなわち長手方向に対して直交する方向（図２においてＹ軸方向）に平行に配置される。
【００２２】
本実施の形態１に係る携帯電話装置１００は、上述のように構成されることで、ループ素子１０４の放射特性として、携帯電話装置１００の幅方向に平行、すなわち図２に示す配置において水平方向（Ｙ軸方向）の水平偏波特性が得られる。
【００２３】
また、ループ素子１０４は、図３に示す携帯電話装置１００の表示部１１４が配置された面に対向する面、すなわち図２における＋Ｘ方向の面側に配置されている。本実施の形態１に係る携帯電話装置１００は、このように構成されることで、ループ素子１０４の放射特性として、表示部１１４が配置された面に対向する面側に水平偏波の高いアンテナ利得が得られる。
【００２４】
従って、図３に示すように、使用者３００が携帯電話装置１００を顔の正面において手で保持し、表示部１１４を顔に向けてテレビジョン放送を視聴している状態においては、ループ素子１０４が人体の正面、すなわち＋Ｘ方向側に配置されるので、人体の正面方向において水平偏波の高いアンテナ利得が得られる。
【００２５】
また、ループ素子１０４は、磁界モードアンテナとして動作するので、人体との間隔が約０．２波長程度以下となる範囲においては、人体が反射体として作用するとともに人体との電磁的相互作用によって放射抵抗が高くなり放射効率が改善する。従って、本実施の形態１に係る携帯電話装置１００は、人体近傍において利得が向上する人体効果が得られ、この場合においても高い受信感度が得られる。
【００２６】
次に、図４及び図５を用いて、ループ素子１０４の共振周波数の同調動作について説明する。ループ素子１０４は、テレビジョン電波の周波数である４７０ＭＨｚ〜７００ＭＨｚ帯においては、ループ長が１０分の１波長以下の微小ループアンテナとして動作し、その動作周波数帯域は比較的狭くなる。例えば、帯域幅は４７０ＭＨｚにおいて１０ＭＨｚ程度と比帯域で１％〜２％程度となる。
【００２７】
図４は、可変同調回路１０６及びバンド切替回路１０７の一例を示したものである。図４において、ループ素子１０４の接地部１０５が接続されていない側の端部１１６には、可変同調回路１０６及びバンド切替回路１０７が接続されている。これにより、可変同調回路１０６及びバンド切替回路１０７がループ素子１０４に直列に接続されることになり、ループ素子１０４の共振周波数がテレビジョン周波数帯域に同調される。
【００２８】
可変同調回路１０６は、可変容量ダイオードＶＤ１及びコンデンサＣ１が直列に接続された回路で構成されている。この可変同調回路１０６には、テレビジョン受信回路１０９内部のチューニング電圧１１９が電圧変換回路１２１及び抵抗Ｒ１によって可変容量ダイオードＶＤ１の逆バイアス電圧として印可される。
【００２９】
バンド切替回路１０７は、コンデンサＣ２及びＰＩＮダイオードＤ１の直列回路で構成される。ＰＩＮダイオードＤ１は抵抗Ｒ２を介してチャネル制御部１１１によって切り替えられる。
【００３０】
テレビジョン受信回路１０９は、給電部１０８からテレビジョン受信信号が入力されるチューナ部１１７、チューナ部１１７の受信周波数を決定する局部発振回路１１８及び周波数シンセサイザ回路１２０から構成されている。周波数シンセサイザ回路１２０は、チャネル制御部１１１によって制御されて局部発振回路１１８の発振周波数を設定することにより、テレビジョン受信チャネルを設定する。このとき、チューニング電圧１１９は、例えば、受信周波数４７０〜７００ＭＨｚに対応して０．５Ｖ〜２．５Ｖ程度に変化する。
【００３１】
次に、図４および図５を参照しながら、可変同調回路１０６及びバンド切替回路１０７の動作について説明する。
【００３２】
先ず、図５に示すＨｉｇｈＢａｎｄ（例えば、周波数が５７０ＭＨｚ〜７００ＭＨｚ）における受信チャネルを設定する場合は、チャネル制御部１１１がバンド切替回路１０７のＰＩＮダイオードＤ１をＯＦＦさせる。これにより、コンデンサＣ２が可変同調回路１０６に装荷されなくなり、ループ素子１０４の共振周波数がＨｉｇｈＢａｎｄの範囲で変化するように設定される。
【００３３】
図４において、電圧変換回路１２１は、ＯＰＡＭＰなどによって構成された電圧の増幅や加減算を行う回路であり、チャネル制御部１１１からの設定により電圧変換の係数が制御される。
【００３４】
つまり、この電圧変換回路１２１は、例えば、ＨｉｇｈＢａｎｄにおける受信チャネルを設定する場合、チャネル制御部１１１からの制御を受けて、チューニング電圧１１９の１．５Ｖ〜２．５Ｖまでの変化を０．５Ｖ〜２．５Ｖの変化に変換するように動作する。
【００３５】
ここで、コンデンサＣ１の容量値は、可変同調回路１０６によって決定されるループ素子１０４の共振周波数がテレビジョン受信チャネルに対応して変化するように、すなわちトラッキングされるように適切に設定される。具体的には、コンデンサＣ１の容量値は、可変容量ダイオードＶＤ１の逆バイアス電圧が０．５Ｖの時には図５に符号ａで示すＶＳＷＲ特性の状態になるように設定し、２．５Ｖの時には図５に符号ｃで示すＶＳＷＲ特性の状態になるように設定する。
【００３６】
これにより、ループ素子１０４の共振周波数は、図５のＨｉｇｈＢａｎｄの範囲に示すように、受信チャネルに対応して５７０〜７００ＭＨｚの範囲で変化することになる。
【００３７】
次に、図５に示すＬｏｗＢａｎｄ（例えば、周波数が４７０〜５７０ＭＨｚ）における受信チャネルを設定する場合について説明する。この場合には、チャネル制御部１１１がバンド切替回路１０７のＰＩＮダイオードＤ１をＯＮさせることで、コンデンサＣ２が可変同調回路１０６に並列に装荷される。これにより、ループ素子１０４の共振周波数がＬｏｗＢａｎｄの範囲で変化するように設定される。
【００３８】
つまり、ＬｏｗＢａｎｄの場合、電圧変換回路１２１は、チューニング電圧１１９の０．５Ｖ〜１．５Ｖまでの変化を０．５Ｖ〜２．５Ｖの変化に変換するように動作する。さらに、コンデンサＣ２の容量値を予め適切に設定しておくことで、可変容量ダイオードＶＤ１の逆バイアス電圧が０．５Ｖの時には図５に符号ｂで示すＶＳＷＲ特性の状態になるように設定し、２．５Ｖの時には図５に符号ａで示すＶＳＷＲ特性の状態になるように設定する。
【００３９】
これにより、ループ素子１０４の共振周波数は、図５のＬｏｗＢａｎｄの範囲に示すように、受信チャネルに対応して４７０〜５７０ＭＨｚの範囲で変化することになる。
【００４０】
このように、本実施の形態１に係る形態電話装置１００は、現在の受信周波数に対応してループ素子１０４の共振周波数が設定されることにより、テレビジョン放送の全周波数帯域にわたって高い受信感度が得られることになる。
【００４１】
なお、上述のように、ループ素子１０４の共振周波数を変化させる手段としては、チューニング電圧１１９を直接使用せずに、電圧変換回路１２１による電圧変換とバンド切替回路１０７とを併用することが好ましい。その理由は、一般に限られた電源電圧範囲内（例えば、３Ｖ以下）において可変容量ダイオードＶＤ１による周波数変化幅を大きくとるように設計した場合、可変容量ダイオードＶＤ１のＱが低下することによりループ素子１０４のループアンテナとしての動作性能が低下するためである。
【００４２】
なお、ここで、可変容量ダイオードＶＤ１のＱによる性能低下が問題にならない場合には、チューニング電圧１１９を直接可変同調回路１０６に入力し、バンド切替回路１０７を用いないでもよいことは言うまでもない。
【００４３】
また、電源電圧を高く（例えば１０Ｖ程度）設定できる場合には、電圧変換回路１２１においてチューニング電圧を一定の増幅率で増幅したうえで可変同調回路１０６に入力してもよい。この場合は、可変容量ダイオードＶＤ１の逆バイアス電圧の変化範囲をチューニング電圧よりも大きくできるので、バンド切替回路１０７を用いることなくループ素子１０４の共振周波数を全周波数帯域にわたって変化することができる。
【００４４】
また、本例では、可変同調回路１０６を制御するものとしてチューニング電圧を用いた構成を説明したが、例えば、チャネル制御部１１１からＤＡコンバータなどを用いて直接制御電圧を生成して可変同調回路１０６を制御してもよい。この場合は、予め各受信周波数に対応した可変同調回路１０６の制御電圧の値をテーブルとして記憶しておき、そのテーブルに従ってチャネル制御部１１１がループ素子１０４の共振周波数を直接制御するように構成することができる。
【００４５】
また、本例では、前記可変同調手段として可変容量ダイオードＶＤ１を用いた構成を説明したが、これに限らず、ループ素子１０４の共振周波数を変化できる構成であればよい。
【００４６】
また、本例では、前記バンド切替手段としてコンデンサＣ２をＰＩＮダイオードＤ１でループ素子１０４の共振周波数を切り替える構成を説明したが、これに限らず、例えばループ素子１０４のループ長を切り替えるなどループ素子１０４の共振周波数を段階的に切り替える構成であればよい。
【００４７】
また、前記バンド切替手段としては、ループ長の異なるループ素子１０４を複数配置しておき、周波数帯域に応じて使用するループ素子１０４を段階的に切り替える構成であってもよい。
【００４８】
また、本例では、前記バンド切替手段として、バンド切り替え範囲がＨｉｇｈＢａｎｄとＬｏｗＢａｎｄとの２バンド構成のものについて説明したが、前記バンド切替手段のバンド切り替え範囲は３以上のバンドに分割してもよい。
【００４９】
また、本例では、ループ素子１０４を上部筐体１０１内に内蔵したが、これに限らず、使用状態において使用者３００の手で覆われない位置に配置すればよい。
【００５０】
また、ループ素子１０４の配置方向は、図示の携帯電話装置１００のものに限らず、例えば、そのループ開口面が携帯電話装置１００の長手方向に平行に配置されたものであってもよい。このような配置のループ素子１０４の場合には、水平偏波は得られないが人体近接時の影響を少なくする効果は得られる。
【００５１】
また、ここでは、折畳型の携帯電話装置１００における作用効果について説明したが、上部筐体１０１と下部筐体１０２に分割されていないストレート型の携帯電話装置においても、同様な作用効果が得られることは言うまでもない。
【００５２】
（実施の形態２）
次に、図６及び図７を参照して本発明の実施の形態２に係る携帯電話装置について説明する。
【００５３】
図６は、本発明に係る実施の形態２に係る携帯電話装置の基本的構成図である。図７は、本発明の実施の形態２に係る携帯電話装置の可変同調回路及びバンド切替回路を示す図である。
【００５４】
図６に示すように、本発明の実施の形態２に係る携帯電話装置６００は、上部筐体６０１と下部筐体６０２とがヒンジ部６０３によって開閉自在に軸支された折畳型の携帯電話装置である。なお、本発明に係る携帯電話装置は、１つの筐体からなるストレート型の携帯電話装置であってもよいことは言うまでもない。
【００５５】
この携帯電話装置６００のループ素子６０４は、テレビジョン受信用内蔵アンテナとして動作するものであり、図６における下部筐体６０２の上端部の、＋Ｘ方向の側面に配置されている。本例の場合も、ループ素子６０４のループ開口面は、携帯電話装置６００の面に対して直交しており、かつ携帯電話装置６００の幅方向に平行となっている。
【００５６】
ループ素子６０４は、そのループ先端部の２カ所が下部筐体６０２のグランドに接地されることなく、平衡系で可変同調手段としての可変同調回路６０６、及び、バンド切替手段としてのバンド切替回路６０７に接続されている。
【００５７】
ループ素子６０４の共振周波数は、可変同調回路６０６及びバンド切替回路６０７によってテレビジョン放送周波数である４７０ＭＨｚから７００ＭＨｚ程度の範囲において制御される。
【００５８】
ループ素子６０４のループ先端部２カ所から所定の間隔（例えば１０ｍｍ程度）だけ離れた位置には、給電部６２５が設置されている。これによって、ループ素子６０４のインピーダンスをタップダウンすることにより、給電部６２５間のインピーダンスが、例えば１００オームとなるように設定される。
【００５９】
ループ素子６０４は、給電部６２５がテレビジョン受信回路６０９に接続されることで、テレビジョン電波を受信する。テレビジョン受信回路６０９は、給電部６２５からテレビジョン受信信号が入力される高周波増幅回路６３１、高周波増幅回路６３１の受信周波数を決定する局部発振回路６１８及び周波数シンセサイザ回路６２０から構成されている。テレビジョン受信回路６０９は、その内部で生成されるチューニング電圧６１０により可変同調回路６０６を制御する。チャネル制御部６１１は、テレビジョン受信回路６０９の受信チャネル設定を行うとともに、バンド切替信号６１２によってバンド切替回路６０７を制御する。
【００６０】
このように構成されたループ素子６０４のループ開口面は、携帯電話装置６００の面、すなわち回路基板６２６に対して直交することになる。また、ループ素子６０４のループ開口面は、携帯電話装置６００の幅方向すなわち長手方向に対して直交する方向（図６においてＹ軸方向）に平行に配置される。
【００６１】
本実施の形態２に係る携帯電話装置６００は、上述のように構成されることで、ループ素子６０４の放射特性として、携帯電話装置６００の幅方向に平行、すなわち図６に示す配置において水平方向（Ｙ軸方向）の水平偏波特性が得られる。
【００６２】
本実施の形態２に係る携帯電話装置６００は、ヘリカルアンテナ６２７を備えている。このヘリカルアンテナ６２７は、携帯電話装置６００の通信を行う送受信用アンテナである。ヘリカルアンテナ６２７は、接地部６２９に対して給電部６２８によって給電されている。また、接地部６２９は、回路基板６２６のグランド電位に接続されている。
【００６３】
これにより、ヘリカルアンテナ６２７は、回路基板６２６のグランドに対して不平衡給電されることになる。なお、この場合、ヘリカルアンテナ６２７と回路基板６２６とから構成される送受信用アンテナの主偏波方向は、垂直偏波（図６におけるＺ軸方向）となる。
【００６４】
図７は、本実施の形態２に係る携帯電話装置６００の可変同調回路６０６及びバンド切替回路６０７の一例を示したものである。図７において、ループ素子６０４のループ先端部６３０は、ループが一周した先端部の開放端である。このループ素子６０４のループ先端部６３０には、可変同調回路６０６及びバンド切替回路６０７が接続されている。
【００６５】
図７は、図４に示した可変同調回路１０６及びバンド切替回路１０７を平衡系回路で構成したもので、可変同調回路６０６及びバンド切替回路６０７の各回路素子は、図４に示した可変同調回路１０６及びバンド切替回路１０７の各回路素子と同様な動作を行う。なお、図７において、Ｌ１は可変容量ダイオードＶＤ１及びＰＩＮダイオードＤ１の直流バイアス用のチョークコイルであり、高周波的な回路動作には影響を及ぼさない。
【００６６】
ループ素子６０４は、給電部６２５がテレビジョン受信回路６０９の初段の高周波増幅回路６３１に接続されることで、テレビジョン電波を受信する。高周波増幅回路６３１は、その入力回路が平衡系で構成される。
【００６７】
上記のように構成されたループ素子６０４、可変同調回路６０６、バンド切替回路６０７及びテレビジョン受信回路６０９は、全体が平衡系回路として動作し、図６に示す携帯電話装置６００の無線回路が搭載される回路基板６２６のグランドにテレビジョン受信動作に関連する電流が流れない。一方、図６に示すヘリカルアンテナ６２７と回路基板６２６から構成される送受信用アンテナの電流は、回路基板６２６のグランドを流れることになる。
【００６８】
従って、この携帯電話装置６００の無線回路が送信動作を行った場合の送信波電流は、回路基板６２６のグランドを流れるが、テレビジョン受信回路がすべて平衡系回路で構成されているので、同相除去動作によって、携帯電話装置６００の送信波電流がテレビジョン受信回路６０９に影響を及ぼすことない。
【００６９】
これにより、本実施の形態２に係る携帯電話装置６００においては、携帯電話装置６００が通信状態であっても、テレビジョン受信の高い受信感度が確保されて、安定したテレビジョン受信が可能となる。
【００７０】
上述のように、本発明の携帯電話装置は、前記可変同調手段により前記ループアンテナ素子の共振周波数を連続的に変化させることができるので、広帯域にわたってより高い受信感度が得られるようになる。
【００７１】
また、本発明の携帯電話装置は、前記バンド切替手段により前記ループアンテナ素子の共振周波数を段階的に切り替えることができるので、広帯域にわたってより高い受信感度が得られるようになる。
【００７２】
また、本発明の携帯電話装置は、前記可変同調手段と前記バンド切替手段とを併用して、前記ループアンテナ素子の共振周波数を連続的に変化させたり段階的に切り替えたりすることができるので、広帯域にわたってより高い受信感度が得られるようになる。
【００７３】
また、本発明の携帯電話装置は、前記可変同調手段により前記放送受信部の受信チャネルを設定する選局用信号を用いて前記ループアンテナ素子の共振周波数を連続的に変化させることができるので、すべての受信チャネルにわたって高い受信感度が得られる。
【００７４】
また、本発明の携帯電話装置は、前記バンド切替手段により前記放送受信部の受信チャネル情報に対応したバンド切替信号を用いて前記ループアンテナ素子の共振周波数を段階的に切り替えることができるので、すべての受信チャネルにわたって高い受信感度が得られる。
【００７５】
また、本発明の携帯電話装置は、前記ループアンテナ素子と前記放送受信部の信号入力回路とを平衡系回路で接続して前記ループアンテナ素子に給電するので、携帯電話装置の送信中においても高い受信感度が得られるようになる。
【００７６】
また、本発明の携帯電話装置は、回路基板のグランドに対して不平衡給電された携帯電話装置通信用送受信アンテナを備えているので、携帯電話装置の送信中においてもより高い受信感度が得られるようになる。
【００７７】
また、本発明の携帯電話装置は、前記ループアンテナ素子のループ開口面を携帯電話装置の面に対して直交して配置しているので、使用者が手で携帯電話装置を保持した状態において高い受信感度が得られるようになる。
【００７８】
また、本発明の携帯電話装置は、前記ループアンテナ素子と前記表示部とが前記筐体の反対側の面にそれぞれ配置されているので、使用者が手で携帯電話装置を保持した状態でも高い受信感度が得られるようになる。
【産業上の利用可能性】
【００７９】
本発明に係る携帯電話装置は、放送受信用アンテナが内蔵されているので使用時にアンテナが邪魔にならず、また使用者が手で携帯電話装置を保持してテレビジョン放送を視聴している状態において携帯電話装置が通信状態であっても広帯域にわたって高い受信感度が得られ受信性能の改善が可能となるので携帯電話装置として有用である。
【図面の簡単な説明】
【００８０】
【図１】本発明の実施の形態１に係る携帯電話装置の基本構成図
【図２】（ａ）は本発明の実施の形態１に係る携帯電話装置のループ素子を示す側面図、（ｂ）は前記ループ素子の正面図、（ｃ）は前記ループ素子の平面図
【図３】本発明の実施の形態１に係る携帯電話装置を使用者が手で保持してテレビジョン放送を視聴している状態を示す使用態様図
【図４】本発明の実施の形態１に係る携帯電話装置の可変同調回路及びバンド切替回路を示す図
【図５】本発明の実施の形態１に係る携帯電話装置の可変同調回路及びバンド切替回路の動作説明図
【図６】本発明の実施の形態２に係る携帯電話装置の基本構成図
【図７】本発明の実施の形態２に係る携帯電話装置の可変同調回路及びバンド切替回路を示す図
【符号の説明】
【００８１】
１０１，６０１  上部筐体  
１０２，６０２  下部筐体
１０３，６０３  ヒンジ部
１０４，６０４  ループ素子
１０５，６２９  接地部
１０６，６０６  可変同調回路
１０７，６０７  バンド切替回路
１０８，６２５，６２８  給電部
１０９，６０９  テレビジョン受信回路
１１０，６１０  チューニング電圧
１１１，６１１  チャネル制御部
１１２，６１２  バンド切替信号
１１３，６２６  回路基板
１１４  表示部
１１７  チューナ部
１１８，６１８  局部発振回路
１１９，６１９  チューニング電圧
１２０，６２０  周波数シンセサイザ回路
１２１  電圧変換回路
３００  使用者
６２７  ヘリカルアンテナ
６３０  ループ先端部
６３１  高周波増幅回路
ａ，ｂ，ｃ  ＶＳＷＲ特性
【図１】
2006041840.tif 000003
【図２】
2006041840.tif 000004
【図３】
2006041840.tif 000005
【図４】
2006041840.tif 000006
【図５】
2006041840.tif 000007
【図６】
2006041840.tif 000008
【図７】
2006041840.tif 000009